(57)【要約】【課題】折り箱における底板上面に配置した方形台板の四隅付近の浮上を簡単確実かつ、安価に阻止すること。【解決手段】底板１・複数の側板２・複数の斜辺付き差込み片３・正面板４・上板５・後面板６・複数の補強片７をそれぞれ折り線Ｌを経て方形に連設した折り箱の展開構成要素を前記折り線Ｌから直角に折り曲げて折り箱を構成し、前記各差込み片３の両側に係止鉤片８を有する斜辺３Ａを形成する一方、前記各補強片７の一辺に係止孔９とほぼ台形の折返し片８を連設し、差込み片斜辺３Ａで前記折返し片８を補強片７と共に折り線Ｌから斜めに押し込み、この状態を上板５の縁辺下面に対する折返し片８の圧接摩擦により保持することで、各差込み片３の開き止めを施こすと共に四枚の各補強片７をそれぞれ前記方形底板１の四隅付近に斜めに定位し、これら斜めの各補強片７の下縁でそれぞれ前記底板１の上面に予め配置した方形台板９の浮上を阻止した。【選択図】      図１
2005059856.tif 000002
【特許請求の範囲】
【請求項１】
方形底板の対向二辺に折り線を経て連設した方形側板の外側にそれぞれ折り線を経て差込み片を形成し、前記底板の他の一辺には方形正面板・方形上板・方形後面板をそれぞれ折り線を経て順次に連設し、前記正面板と後面板との各対向辺にそれぞれ折り線を経て二枚ずつ計四枚の補強片を連設して折り箱の展開構成要素となし、これら各要素を前記折り線からすべて同方向に直角に折り曲げ、前記後面板の縁辺を底板に接着した折り箱において、前記各差込み片の両側に斜辺を形成する一方、前記四枚の各補強片にそれぞれ折り線を経て折返し片を連設し、前記折返し片の折返し部分を差込み片斜辺で側板の突っ張り剛性と各補強片の折り線部分の復元弾力とに抗して各補強片と共に折り線から斜めに押し込み、この押し込み状態を前記側板の突っ張り剛性で上板の縁辺下面に折返し片を圧接させ保持することで、各側板差込み片の開き止めを施すと共に四枚の各補強片を斜めに定位し、これら四枚の補強片の下縁でそれぞれ前記底板の上面に予め配置した台板の浮上を阻止してなる組立式折り箱。
【請求項２】
方形底板１の対向二辺に折り線Ｌを経て連設した二枚の方形側板２の外側にそれぞれ折り線Ｌを経て差込み片３を形成し、前記底板１の他の一辺には方形正面板４・方形上板５・方形後面板６をそれぞれ折り線Ｌを経て順次に連設すると共に、前記正面板５と後面板６との各対向辺にそれぞれ折り線Ｌを経て二枚ずつ計四枚の補強片７を連設して折り箱の展開構成要素となし、前記正面板４・上板５・後面板６・前記四枚の補強片７を前記各折り線Ｌからすべて同方向に直角に折り曲げ、後面板６の縁辺を底板１に接着し、前記各側板２を折り線Ｌから起立させ、その差込み片３をそれぞれ折り線Ｌから内側に折り曲げた後、これら各差込み片３を前記上板５の縁辺内面に接面させて保形した折り箱において、前記各差込み片３の両側に斜辺３Ａを形成する一方、前記四枚の各補強片７の一辺にそれぞれ折り線Ｌを経て折返し片８を形成し、前記各側板２・補強片７・折返し片８をそれぞれ折り線Ｌからほぼ直角に折曲した状態で、前記折返し片８の折返し部分８Ａを差込み片斜辺３Ａで側板２の突っ張り剛性と各補強片７の折り線部分の復元弾力とに抗して各補強片７と共に折り線Ｌから斜めに押し込み、この押し込み状態を前記側板２の突っ張り剛性で上板５の縁辺下面に折返し片８を圧接させ保持することで、各差込み片３の開き止めを施こすと共に四枚の各補強片７をそれぞれ前記方形底板１の四隅付近に斜めに定位し、これら斜めの各補強片７の下縁でそれぞれ前記底板１の上面に予め配置した方形台板９の浮上を阻止してなる組立式折り箱。
【請求項３】
前記上板５と側板２の重合部外面にシール片Ｓを貼着することで、各差込み片３の開き止めと各補強片７の前記斜め定位状態とをそれぞれダメ押し的に確保してなる請求項１または請求項２に記載の組立式折り箱。
【請求項４】
前記組立式折り箱の展開構成要素を緻密薄手の段ボール紙で構成してなる請求項１から請求項３までに記載の組立式折り箱。
【請求項５】
前記上板５や側板２に窓孔Ａを透設し、この窓孔を透明フィルムＦで覆った請求項１から請求項４までに記載の組立式折り箱。
【発明の詳細な説明】
【０００１】
【発明の属する技術分野】
本発明は、組立式折り箱に係り、特に紙製折り箱における底板上面に配置した台板の浮上を阻止することで、この台板に仮固定した柔らかい食品類などの搬送途中における型崩れを防止できる組立式折り箱に関する。
【０００２】
【従来の技術】
従来一般的な組立式折り箱としては、実開昭６１−２００３１７号公報等に記載の折り箱のように、方形底板の対向二辺に折り線を経て連設した二枚の方形側板の外側にそれぞれ折り線を経て差込み片を形成し、前記底板の他の一辺に方形正面板・方形上板・方形後面板をそれぞれ折り線を経て順次に連設すると共に、前記正面板と後面板の各対向辺にそれぞれ折り線を経て二枚ずつ計四枚の補強片を連設して組立式折り箱の展開構成要素となし、前記正面板・上板・後面板・補強片をそれぞれ前記各折り線から直角に折り曲げて後面板縁辺を底板縁辺に固着し、前記各側板をそれぞれ折り線から起立させ、その差込み片をそれぞれ前記上板内面と補強片との間に差し込んで保形した組立式折り箱が周知である。
【０００３】
【発明が解決しようとする課題】
ところが、この従来例では、その展開構成要素を単に各折り線からすべて直角に折り曲げて組立てた折り箱だから、底板上面に配置した方形台板の浮上を阻止するための構成要素が全く存在せず、デコレーションケーキなどの柔らかい食品類を仮固定して折り箱内に収納した台板の浮上を阻止できないので、柔らかい食品類の持ち帰り途中などにおける折り箱の揺動により、その中の柔らかい食品類が台板と共にランダムに浮上し、折り箱の上板内面に衝突するため、肝心の柔らかい食品類上部が大きく型崩れし、見栄えが極端に悪くなってしまい、使い物にならなくなるという本質的かつ、大きな問題点が有る。
【０００４】
この発明は、上記従来例の問題点を除去するために、折り箱の底板上面に配置した方形台板の浮上を簡単確実かつ、安価に阻止することを目的とする。
【０００５】
【課題を解決するための手段】
上記した本発明の目的は、方形底板の対向二辺に折り線を経て連設した方形側板の外側にそれぞれ折り線を経て差込み片を形成し、前記底板の他の一辺には方形正面板・方形上板・方形後面板をそれぞれ折り線を経て順次に連設し、前記正面板と後面板との各対向辺にそれぞれ折り線を経て二枚ずつ計四枚の補強片を連設して折り箱の展開構成要素となし、これら各要素を前記折り線からすべて同方向に直角に折り曲げ、前記後面板の縁辺を底板に接着した折り箱において、前記各差込み片の両側に斜辺を形成する一方、前記四枚の各補強片にそれぞれ折り線を経て折返し片を連設し、前記折返し片の折返し部分を差込み片斜辺で側板の突っ張り剛性と各補強片の折り線部分の復元弾力とに抗して各補強片と共に折り線から斜めに押し込み、この押し込み状態を前記側板の突っ張り剛性で上板の縁辺下面に折返し片を圧接させ保持することで、各側板差込み片の開き止めを施すと共に四枚の各補強片を斜めに定位し、これら四枚の補強片の下縁でそれぞれ前記底板の上面に予め配置した台板の浮上を阻止したことで達成できた。
【０００６】
【発明の実施の形態】
本発明の実施の形態のうち、先ず、本発明の基本的な形態例を説明する。
先ず、本発明折り箱の展開構成要素の形態例としては、図２のように、方形底板１の対向二辺に折り線Ｌを経て方形側板２を連設し、これら二枚の各方形側板２の外側にそれぞれ折り線Ｌを経て台形の差込み片３を形成し、前記底板１の他の一辺には方形正面板４・方形上板５・方形後面板６をそれぞれ折り線Ｌを経て順次に連設すると共に、底板１のさらに他の一辺に折り線Ｌを経て接着代１Ａを連設し、かつ前記正面板５と後面板６との各対向辺にそれぞれ折り線Ｌを経て二枚ずつ計四枚の補強片７を連設して組立式折り箱の展開構成要素を構成する。
ただし、上記構成要素に用いる素材は、厚手西洋紙または、通常「Ｆフルート」とか「Ｆ段」と称する緻密薄手の段ボール紙や適度の剛性を有するプラスチックシートを構成素材とし、また前記各折り線Ｌは、上記各素材に対応して周知の冷間プレス折り目付け加工手段や熱間プレス折り目付け加工などで形成する。
【０００７】
その後、前記正面板４・上板５・後面板６・補強片７をそれぞれ前記各折り線Ｌからすべて内側同方向に図３のように直角に折り曲げ、後面板６の縁辺を底板１の接着代１Ａに接着し、前記各側板２を同図のようにそれぞれ折り線Ｌから起立させ、その差込み片３をそれぞれ折り線Ｌから内側に折り曲げた後、これら各差込み片３を前記上板５の内面と二枚ずつ計四枚の補強片７との間に図１のように差し込んで折り箱を作るのであるが、本発明では、前記各側板２・補強片７・折返し片８をそれぞれ折り線Ｌからほぼ直角に折曲した状態で、前記上板５の下側に差込み片３を差し込みつつ、前記折返し片８の折返し部分８Ａを差込み片斜辺３Ａで側板２の突っ張り剛性と各補強片７の折り線部分の復元弾力とに抗して各補強片７と共に折り線Ｌから図１のように斜めに押し込み、この押し込み状態を前記側板２の突っ張り剛性で上板５の縁辺下面に折返し片８を図４のように圧接させ保持することができ、四枚の各補強片７をそれぞれ前記方形底板１の四隅付近に斜めに定位することで、これら斜めの各補強片７の下縁でそれぞれ前記底板１の上面に予め配置した厚手紙などで作った剛性を有する方形台板９の浮上を阻止できる図１・図４のような本発明による組立式折り箱を構成できた。
【０００８】
以上のように、本発明による組立式折り箱は、底板１の上面に配置した方形台板９の浮上を阻止するための構成要素として、前記二枚ずつ計四枚の補強片７を前記底板１の上面に予め配置した方形台板９の四隅付近の上面に斜めに突出定位したので、これら斜めの各補強片７の下縁により上記台板９の四隅付近の浮上を図１および図４のように阻止でき、この台板９上に周知の差し込み固定突片などで仮固定したデコレーションケーキなどの柔らかい食品類ａの浮上も台板９と共に図４のように阻止できたので、柔らかい食品類の持ち帰り途中などに折り箱が例え揺動したとしても、その中の肝心な柔らかい食品類ａの上部が折り箱の上板内面にぶつからず、その型崩れを未然に防止でき、常に見栄えの良い状態で購入先からパーティ会場や家庭内に搬入できる。
【０００９】
その後、折り箱内の前記柔らかい食品類ａを食するには、前記上板５の内面から側板差込み片３を引き出しつつ、その斜辺３Ａを折返し片８の下面から、これら両者の圧接摩擦に抗して図３のように脱出させることで、一枚または二枚の側板２を開けることができると共に、前記各補強片７をその折り線部分の復元弾力で同図３のように開けることができ、折り箱内の前記柔らかい食品類ａをそのままの姿形で台板９と共に折り箱外部に引き出し、食することができる。
【００１０】
【実施例】
前記上板５と側板２との重合部の外面に図１鎖線のようにシール片Ｓを貼着すれば、各差込み片３の開き止めと四枚の各補強片７の前記斜め定位状態とをそれぞれダメ押し的に確保することができ、上記シール片Ｓを剥がしたり切断することで、各側板２は容易に開き、また、前記上板５や側板２に前記各図のように窓孔Ａを透設して折り箱を作り、これらの窓孔を図４のように透明フィルムＦでシュリンク包装手段などで覆えば、不透明な折り箱内の柔らかい食品類ａの姿形を同図のような上記窓孔Ａから何時でも透明フィルムＦを透して観察できる。
【００１１】
【発明の効果】
本発明は、以上のような形態を採用したので、以下に記載の効果を奏する。
この発明における請求項１および請求項２の各発明によれば、折り箱における前記各側板２・補強片７・折返し片８をそれぞれ折り線Ｌからほぼ直角に折曲した状態で、前記上板５の下側に差込み片３を差し込みつつ、前記折返し片８の折返し部分８Ａを差込み片斜辺３Ａで側板２の突っ張り剛性と各補強片７の折り線部分の復元弾力とに抗して各補強片７と共に折り線Ｌから斜めに押し込み、この押し込み状態を前記側板２の突っ張り剛性で上板５の縁辺下面に折返し片８を圧接させ保持できたので、各差込み片３の開き止めを容易確実に施せると共に、四枚の各補強片７をそれぞれ前記方形底板１の四隅付近に斜めに定位することができ、これら斜めの各補強片７の下縁でそれぞれ前記底板１の上面に予め配置した方形台板９の浮上を安定に阻止できたので、この台板９上に仮固定したデコレーションケーキなどの柔らかい食品類の浮上を台板９と共に阻止でき、柔らかい食品類の持ち帰り途中などに折り箱が例え揺動したとしても、その中の柔らかい食品類ａの上部が折り箱上板内面にぶつからず、その型崩れを簡単確実かつ、安価に防止でき、肝心な柔らかい食品類ａをその購入先からパーティ会場や家庭内に常に見栄えの良い状態で搬入できたという優れた効果が有る。
【００１２】
また、前記各発明によれば、前記折り箱内の食品類ａを食するには、前記上板５の内面から側板差込み片３を引き出しつつ、その斜辺３Ａを折返し片８の下面から、これら両者の圧接摩擦に抗して脱出させることで、一枚または二枚の側板２を開けることができると共に、前記各補強片７をその折り線部分の復元弾力で開けることができ、折り箱内の前記柔らかい食品類ａをそのままの姿形で台板９と共に折り箱外部に引き出し、食することができるという優れた効果も有る。
【００１３】
この発明における請求項３の発明のように、前記上板５と側板２との重合部をシール片Ｓで貼着すれば、各差込み片３の開き止めと四枚の各補強片７の前記斜め定位状態とをそれぞれダメ押し的に安定に確保できたので、台板９の浮上をより一層安定確実に防止でき、また、この発明における請求項４の発明では、前記組立式折り箱の展開構成要素を緻密薄手の段ボール紙で構成したので、折り箱全体としての保形強度を強化できるし、前記多数の折り線Ｌを簡易な冷間プレス加工でも容易に形成できるという効果を付加できた。
【００１４】
さらに、この発明における請求項５の発明のように、前記上板５や側板２に窓孔Ａを透設し、これらの窓孔を透明フィルムＦでシュリンク包装手段などにより覆えば、不透明な折り箱内のデコレーションケーキなどの柔らかい食品類の姿形を上記透明フィルムＦを経て、何時でも折り箱外から観察でき、上記食品類の型崩れを一層確実に防止できるという効果を付加できた。
【図面の簡単な説明】
【図１】本発明による折り箱の一例を示す要部切欠斜視図
【図２】本発明による折り箱の展開構成要素の一例を示す展開図
【図３】本発明による折り箱の組立途中の一例を示す斜視図
【図４】図１に示すものの縦断側面図
【符号の説明】
１    底板
１Ａ  接着代
２    側板
３    差込み片
３Ａ  斜辺
４    正面板
５    上板
６    後面板
７    補強片
８    折返し片
８Ａ  折返し部分
９    台板
Ｌ    折り線
Ｓ    シール片
Ａ    窓孔
Ｆ    透明フィルム
ａ    柔らかい食品類
【図１】
2005059856.tif 000003
【図２】
2005059856.tif 000004
【図３】
2005059856.tif 000005
【図４】
2005059856.tif 000006